(57)【特許請求の範囲】
【請求項１】
電解質膜と、
前記電解質膜の一方の主面に設けられたアノードと、
前記電解質膜の他方の主面に設けられたカソードと、
前記アノード上に設けられたアノードセパレーターと、
前記カソード上に設けられたカソードセパレーターと、
前記アノードと前記カソードとの間に電圧を印加する電圧印加器と
を備え、
前記電圧印加器が前記電圧を印加することで、前記アノードに供給されたアノード流体から取り出されたプロトンを、前記電解質膜を介して前記カソードに移動させ、圧縮された水素を生成する圧縮装置であって、
前記アノードセパレーターは、前記アノード側の主面に設けられた、前記アノード上を流れる前記アノード流体の流体流路と、前記アノードセパレーターを貫通する貫通孔であり、前記流体流路に前記アノード流体を供給するマニホールド孔と、前記アノード側の主面に設けられた、前記マニホールド孔と前記流体流路とを連絡する連絡路とを有し、
前記アノードセパレーターのアノード側の主面の前記アノードに対向する領域の外周上に設けられ、前記連絡路を覆い、かつ前記マニホールド孔を覆わない面シール材を備え、前記面シール材は金属シートの両方の主面のそれぞれに、前記金属シートよりも低剛性かつ高弾性の弾性シートが設けられた３層構造である圧縮装置。
【請求項２】
前記アノードセパレーターおよび前記カソードセパレーターは、接合により一体化されている請求項１に記載の圧縮装置。
【請求項３】
前記金属シートは、ステンレス鋼である請求項１または２に記載の圧縮装置。
【請求項４】
前記ステンレス鋼は、ＳＵＳ３１６またはＳＵＳ３１６Ｌである請求項３に記載の圧縮装置。
【請求項５】
前記ステンレス鋼は、４４０１−３１６−００−Ｉまたは４４３６−３１６−００−Ｉ、もしくは、４４０４−３１６−０３−Ｉ、４４３２−３１６−０３−Ｉまたは４４３６−３１６−９１−Ｉである、請求項３に記載の圧縮装置。
【請求項６】
前記ステンレス鋼は、１．４４０１または１．４４３６、もしくは、１．４４０４、１．４４３２または１．４４３５である、請求項３に記載の圧縮装置。
【請求項７】
前記ステンレス鋼は、Ｓ３１６００またはＳ３１６０３である、請求項３に記載の圧縮装置。
【請求項８】
前記ステンレス鋼は、Ｓ３１６０８またはＳ３１６０３である、請求項３に記載の圧縮装置。
【請求項９】
前記金属シートは、厚みが０．３ｍｍ以上である請求項１−８のいずれか１項に記載の圧縮装置。
【請求項１０】
前記弾性シートが、フッ素ゴムである請求項１−９のいずれか１項に記載の圧縮装置。
【発明の詳細な説明】
【技術分野】
【０００１】
本開示は圧縮装置に関する。
【背景技術】
【０００２】
近年、地球の温暖化などの環境問題、石油資源の枯渇などのエネルギー問題から、化石燃料に代わるクリーンな代替エネルギー源として水素が注目されている。水素は燃焼しても基本的に水しか排出せず、地球温暖化の原因となる二酸化炭素が排出されず、かつ窒素酸化物などもほとんど排出されないので、クリーンエネルギーとして期待されている。また、水素を燃料として高効率に利用する装置としては燃料電池があり、自動車用電源向け、家庭用自家発電向けに開発および普及が進んでいる。【０００３】
例えば、燃料電池車の燃料として使用される水素は、一般的に、数十ＭＰａに圧縮された高圧状態で車内の水素タンクに貯蔵される。そして、このような高圧の水素は、一般的に、低圧（常圧）の水素を機械式の圧縮装置によって圧縮することで得られる。【０００４】
ところで、来るべき水素社会では、水素を製造することに加えて、水素を高密度で貯蔵し、小容量かつ低コストで輸送または利用し得る技術開発が求められている。特に、燃料電池の普及促進には水素供給インフラを整備する必要があり、水素を安定的に供給するために、高純度の水素を製造、精製、高密度貯蔵する様々な提案が行われている。【０００５】
そこで、例えば、特許文献１では、電解質膜を挟んで配されたアノードおよびカソード間に所望の電圧を印加することによって、水素含有ガス中の水素の精製および昇圧が行われる電気化学式水素ポンプが提案されている。なお、カソード、電解質膜およびアノードの積層体を膜−電極接合体（以下、ＭＥＡ：Membrane Electrode Assembly）という。このとき、アノードに供給される水素含有ガスは、不純物が混入していてもよい。例えば、水素含有ガスは、製鉄工場などからの副次生成の水素ガスでもよいし、都市ガスを改質した改質ガスでもよい。【０００６】
また、例えば、特許文献２では、水の電気電解で発生した低圧の水素がＭＥＡを用いて昇圧される差圧式の水電解装置が提案されている。
【先行技術文献】
【特許文献】
【０００７】
【特許文献１】特開２０１５−１１７１３９号公報
【特許文献２】特許第６１２９８０９号公報
【発明の概要】
【発明が解決しようとする課題】
【０００８】
本開示は、一例として、従来に比べて、アノード流体に対する面シール材のシール性を改善するとともに装置のコストを低減し得る圧縮装置を提供することを課題とする。
【課題を解決するための手段】
【０００９】
上記の課題を解決するため、本開示の一態様(aspect)の圧縮装置は、電解質膜と、前記電解質膜の一方の主面に設けられたアノードと、前記電解質膜の他方の主面に設けられたカソードと、前記アノード上に設けられたアノードセパレーターと、前記カソード上に設けられたカソードセパレーターと、前記アノードと前記カソードとの間に電圧を印加する電圧印加器とを備え、前記電圧印加器が前記電圧を印加することで、前記アノードに供給されたアノード流体から取り出されたプロトンを、前記電解質膜を介して前記カソードに移動させ、圧縮された水素を生成する圧縮装置であって、前記アノードセパレーターの前記アノード側の主面に、前記アノード上を流れる前記アノード流体の流体流路と、前記流体流路に前記アノード流体を供給するマニホールド孔と、前記マニホールド孔と前記流体流路とを連絡する連絡路が設けられ、前記アノードセパレーターのアノード側の主面の前記アノードに対向する領域の外周上に設けられ、かつ前記連絡路を覆う面シール材を備え、前記面シール材は金属シートの両方の主面のそれぞれに、弾性シートが設けられた３層構造である。
【発明の効果】
【００１０】
本開示の一態様の圧縮装置は、従来に比べて、アノード流体に対する面シール材のシール性を改善するとともに装置のコストを低減し得るという効果を奏することができる。
【図面の簡単な説明】
【００１１】
【図１】図１は、電気化学式水素ポンプの一例を示す斜視図である。
【図２】図２は、第１実施形態の電気化学式水素ポンプの水素ポンプユニットの一例を示す図である。
【図３】図３は、第２実施形態の電気化学式水素ポンプの水素ポンプユニットの一例を示す図である。
【発明を実施するための形態】
【００１２】
上記の圧縮装置の一例である電気化学式水素ポンプについて、低圧の水素含有ガスに対するシール材のシール性の改善とともに、装置の低コスト化のための検討が行われ、以下の知見が得られた。
【００１３】
図１は、電気化学式水素ポンプの一例を示す斜視図である。
【００１４】
図１に示すように、電気化学式水素ポンプ１００は、複数のＭＥＡ（セル）を積層した積層体１００Ａ（スタック）を備える。
【００１５】
各セルでは、一対のセパレーターのそれぞれが、セルのアノードおよびカソードのそれぞれを外側から挟んでいる。この場合、アノードに接触するセパレーターは、アノードに水素含有ガスを供給するための導電性の板状の部材である。この板状の部材は、アノードに供給する水素含有ガスが流れるガス流路を備える。カソードに接触するセパレーターは、カソードから水素（Ｈ２）を外部に排出するための導電性の板状の部材である。この板状の部材は、カソードと外部とを連結するための連通経路を備える。なお、アノードセパレーターのガス流路は、セパレーターと別に設けることもできるが、セパレーターの表面にガス流路の溝を、例えば、サーペンタイン状に加工することが一般的である。
【００１６】
そして、セルの外側には、これを機械的に固定するとともに、隣接するセル同士を互いに電気的に直列に接続するための上記のセパレーターが配置されている。
【００１７】
セルとセパレーターを交互に重ねて、セルを１０〜２００個程度、積層して、その積層体１００Ａ（スタック）を両側から、一対の給電板１１、１２および一対の絶縁板１３、１４を介して一対の端板１５、１６で挟み、両端板１５、１６を複数の締結器１７で締め付けるのが一般的な積層締結構造である。
【００１８】
なお、この場合、アノードセパレーターのそれぞれのサーペンタイン状のガス流路に適量の水素含有ガスを供給するには、アノードセパレーターのそれぞれにおいて、適宜の管路から溝状の連絡路を分岐させ、連絡路の下流端が、アノードセパレーターのそれぞれのガス流路の端部と連結するように構成する必要がある。このような管路のことをアノードマニホールドといい、このアノードマニホールドは、積層体１００Ａの各部材のそれぞれの適所に設けられた貫通孔の連なりにより構成されている。
【００１９】
また、カソードセパレーターのそれぞれのカソードから高圧の水素を排出するには、カソードセパレーターのそれぞれにおいて、適宜の管路と上記の連通経路とが連結するように構成する必要がある。このような管路のことをカソードマニホールドといい、このカソードマニホールドは、積層体１００Ａの各部材のそれぞれの適所に設けられた貫通孔の連なりにより構成されている。
【００２０】
ここで、電気化学式水素ポンプ１００では、カソードおよびカソードマニホールドを流れる高圧の水素、および、アノードおよびアノードマニホールドを流れる低圧の水素含有ガスなどが外部に漏れないように、適宜のシール部材が設けられ、セルと一体化して予め組み立てられる。このようなシール部材は、例えば、セパレーターの両主面に設けられたＯリングなどが使用されることが多い。このとき、Ｏリングは、一般的に、アノードセパレーターおよびカソードセパレーターの両主面に設けられている。そして、このことが、電気化学式水素ポンプ１００の組立および加工のコストアップの要因となり得る場合がある。
【００２１】
具体的には、セパレーターの両主面にＯリング溝を加工する必要があるので、セパレーターの一方の主面のみにＯリング溝を加工する場合に比べて、セパレーターの加工コストが上がる。
【００２２】
また、セパレーターの両主面に加工されたＯリング溝にＯリングを配置する場合、積層体１００Ａの組立時には、Ｏリングの落下または位置ずれなどが起きないように注意する必要がある。
【００２３】
例えば、セパレーターの一方の主面に加工された第１のＯリング溝内にＯリングを配置したまま、セパレーターの他方の主面に加工された第２のＯリング溝内にＯリングを配置するには、セパレーターを裏返す必要がある。このとき、第１のＯリング溝内のＯリングの落下または位置ずれなどが起きないように、例えば、Ｏリングを仮止めする必要がある。すると、積層体１００Ａの組立時の工数が増えるので、積層体１００Ａの組立コストが上がる。
【００２４】
なお、以上の問題は、例えば、特許文献２に開示された水電解装置などにおいても同様に発生すると考えられる。つまり、水電解装置のアノードセパレーター、カソードセパレーター、樹脂枠を積層する際には、これらの部材間には流体の漏れ防止のためのシール部材が、各部材の両主面に配置される可能性がある。
【００２５】
ところで、積層体１００Ａの高圧の水素が存在する領域の部材間は、高い気密性が必要とされる。よって、かかる部材間を適切にシールするには、シール信頼性が高いＯリングを設けることが有効である。
【００２６】
これに対して、本開示者らは、積層体１００Ａの低圧の水素含有ガスが存在する領域の部材間は、Ｏリングを設けずに、面シール材を挟むことが組立および加工のコストダウンにおいて有効であると判断しているが、部材間に、単にゴムシートを挟むだけでは、水素含有ガスに対するゴムシートのシール性が不十分であることを見出して、以下の本開示の一態様に想到した。
【００２７】
具体的には、アノードセパレーターは、上記のとおり、アノードマニホールドから分岐した溝状の連絡路の下流端が、アノードセパレーターのガス流路の端部と連結するように構成されている。よって、ゴムシートは、必然的に、上記の連絡路を上方から覆うこととなる。すると、例えば、電気化学式水素ポンプの動作時に発生するカソードおよびアノード間の差圧（高圧）によって、ゴムシートが連絡路内に落ち込む可能性がある。そして、この現象は、水素含有ガスに対するゴムシートのシール性の悪化を招く可能性があり、ひいては、水素含有ガスが外部に漏れやすくなる。
【００２８】
すなわち、本開示の第１態様の圧縮装置は、電解質膜と、電解質膜の一方の主面に設けられたアノードと、電解質膜の他方の主面に設けられたカソードと、アノード上に設けられたアノードセパレーターと、カソード上に設けられたカソードセパレーターと、アノードとカソードとの間に電圧を印加する電圧印加器とを備え、電圧印加器が上記の電圧を印加することで、アノードに供給されたアノード流体から取り出されたプロトンを、電解質膜を介してカソードに移動させ、圧縮された水素を生成する圧縮装置であって、アノードセパレーターのアノード側の主面に、アノード上を流れるアノード流体の流体流路と、流体流路にアノード流体を供給するマニホールド孔と、マニホールド孔と流体流路とを連絡する連絡路が設けられ、アノードセパレーターのアノード側の主面のアノードに対向する領域の外周上に設けられ、かつ連絡路を覆う面シール材を備え、面シール材は金属シートの両方の主面のそれぞれに、弾性シートが設けられた３層構造である。
【００２９】
かかる構成によると、本態様の圧縮装置は、従来に比べて、アノード流体に対する面シール材のシール性を改善するとともに装置のコストを低減し得る。
【００３０】
具体的には、本態様の圧縮装置は、低圧のアノード流体が存在する領域の部材間は、Ｏリングを設けずに面シール材を挟むことで、このような部材間にＯリングを設ける場合に比べて、組立および加工のコストダウンを図ることができる。
【００３１】
また、本態様の圧縮装置は、面シール材を、金属シートおよび一対の弾性シートの３層構造とすることで、例えば、面シール材を単一の弾性シートで構成する場合に比べて剛性を向上することができる、これにより、本態様の圧縮装置は、圧縮装置の動作時に発生するカソードおよびアノード間の差圧（高圧）によって、面シール材が連絡路内に落ち込むことを抑制することができ、その結果、アノード流体が外部に漏れにくくなる。
【００３２】
本開示の第２態様の圧縮装置は、第１態様の圧縮装置において、アノードセパレーターおよびカソードセパレーターは一体化されていてもよい。
【００３３】
かかる構成によると、本態様の圧縮装置は、部品点数を削減することで、組立作業の効率化を図ることができる。また、本態様の圧縮装置は、例えば、カソードセパレーターとアノードセパレーターとが拡散接合で一体化されることで、互いの接合部の空隙が消失するので、両者間の接触抵抗を低減することができる。
【００３４】
本開示の第３態様の圧縮装置は、第１態様または第２態様の圧縮装置において、金属シートは、ステンレス鋼であってもよい。
【００３５】
かかる構成によると、本態様の圧縮装置は、金属シートをステンレス鋼で構成することで、剛性とコスト性の両立を図りやすくなる。
【００３６】
本開示の第４態様の圧縮装置は、第３態様の圧縮装置において、ステンレス鋼は、ＳＵＳ３１６またはＳＵＳ３１６Ｌであってもよい。
【００３７】
日本工業規格（ＪＩＳ）のＳＵＳ３１６またはＳＵＳ３１６Ｌが、様々な種類のステンレスの中で耐酸性および耐水素脆性などの視点で高い特性を備えるので、本態様の圧縮装置は、金属シートの基材としてＳＵＳ３１６またはＳＵＳ３１６Ｌを選択すると都合がよい。
本開示の第５態様の圧縮装置は、第３態様の圧縮装置において、ステンレス鋼は、４４０１−３１６−００−Ｉまたは４４３６−３１６−００−Ｉ、もしくは、４４０４−３１６−０３−Ｉ、４４３２−３１６−０３−Ｉまたは４４３６−３１６−９１−Ｉであってもよい。
ここで、日本工業規格（ＪＩＳ）のＳＵＳ３１６は、国際規格（ＩＳＯ）１５５１０では、４４０１−３１６−００−Ｉまたは４４３６−３１６−００−Ｉが対応する。日本工業規格のＳＵＳ３１６Ｌは、ＩＳＯ１５５１０国際規格では、４４０４−３１６−０３−Ｉ、４４３２−３１６−０３−Ｉまたは４４３６−３１６−９１−Ｉ４４０１−３１６−００−Ｉが対応する。
本開示の第６態様の圧縮装置は、第３態様の圧縮装置において、ステンレス鋼は、１．４４０１または１．４４３６、もしくは、１．４４０４、１．４４３２または１．４４３５によって構成されていてもよい。
ここで、日本工業規格（ＪＩＳ）のＳＵＳ３１６は、欧州規格（ＥＮ）では、１．４４０１または１．４４３６が対応する。日本工業規格のＳＵＳ３１６Ｌは、欧州規格では、１．４４０４、１．４４３２または１．４４３５が対応する。
本開示の第７態様の電気化学デバイスは、第３態様の圧縮装置において、金属基材シートは、Ｓ３１６００またはＳ３１６０３によって構成されていてもよい。
ここで、日本工業規格（ＪＩＳ）のＳＵＳ３１６は、米国規格（ＵＮＳ）では、Ｓ３１６００が対応する。日本工業規格のＳＵＳ３１６Ｌは、米国規格では、Ｓ３１６０３が対応する。
本開示の第８態様の電気化学デバイスは、第３態様の圧縮装置において、金属基材シートは、Ｓ３１６０８またはＳ３１６０３によって構成されていてもよい。
ここで、日本工業規格（ＪＩＳ）のＳＵＳ３１６は、中国規格（ＧＢ）では、Ｓ３１６０８が対応する。日本工業規格のＳＵＳ３１６Ｌは、中国規格では、Ｓ３１６０３が対応する。
【００３８】
本開示の第９態様の圧縮装置は、第１態様から第８態様のいずれか一つの圧縮装置において、金属シートは、厚みが０．３ｍｍ以上であってもよい。
【００３９】
かかる構成によると、本態様の圧縮装置は、金属シートの厚みが０．３ｍｍ未満である場合に比べて、面シール材の剛性を改善することができる。
【００４０】
本開示の第１０態様の圧縮装置は、第１態様から第９態様のいずれか一つの圧縮装置において、弾性シートが、フッ素ゴムであってもよい。
【００４１】
フッ素ゴムが、様々な種類のゴムの中で耐酸性などの化学的安定性の視点で高い特性を備えるので、本態様の圧縮装置は、弾性シートの基材としてフッ素ゴムを選択すると都合がよい。
【００４２】
以下、添付図面を参照しながら、本開示の実施形態について説明する。なお、以下で説明する実施形態は、いずれも上記の各態様の一例を示すものである。よって、以下で示される形状、材料、構成要素、および、構成要素の配置位置および接続形態などは、あくまで一例であり、請求項に記載されていない限り、上記の各態様を限定するものではない。また、以下の構成要素のうち、上記の各態様の最上位概念を示す独立請求項に記載されていない構成要素については、任意の構成要素として説明される。また、図面において、同じ符号が付いたものは、説明を省略する場合がある。図面は理解しやすくするために、それぞれの構成要素を模式的に示したもので、形状および寸法比などについては正確な表示ではない場合がある。
【００４３】
（第１実施形態）
上記の圧縮装置のアノード流体は、様々な種類のガス、液体が想定される。例えば、圧縮装置が電気化学式水素ポンプである場合、アノード流体として、水素含有ガスを挙げることができる。また、例えば、圧縮装置が水電解装置である場合、アノード流体として、液体の水を挙げることができる。
【００４４】
そこで、以下の実施形態では、アノード流体が水素含有ガスである場合において、圧縮装置の一例である電気化学式水素ポンプの構成および動作について説明する。
【００４５】
［装置構成］
図２は、第１実施形態の電気化学式水素ポンプの水素ポンプユニットの一例を示す図である。なお、図２には、図１の電気化学式水素ポンプ１００の平面視において、積層体１００Ａの中心と、アノードガス導入マニホールド３０の中心と、アノードガス導出マニホールド３１の中心と、を通過する直線を含む積層体１００Ａの垂直断面が示されている（図３も同じ）。
【００４６】
なお、積層体１００Ａの中心と、カソードガス導出マニホールド（図示せず）の中心と、を通過する直線を含む積層体１００Ａの垂直断面の図示および説明は、図２を参酌することで容易に理解できるので省略する。
【００４７】
図２に示す例では、電気化学式水素ポンプ１００は、少なくとも一つの水素ポンプユニット１０を備える。
【００４８】
なお、電気化学式水素ポンプ１００には、複数段の水素ポンプユニット１０が積層されている。例えば、図２では、３段の水素ポンプユニット１０が積層されているが、水素ポンプユニット１０の個数はこれに限定されない。つまり、水素ポンプユニット１０の個数は、電気化学式水素ポンプ１００が圧縮する水素量などの運転条件をもとに適宜の数に設定することができる。
【００４９】
水素ポンプユニット１０は、電解質膜２１と、アノードＡＮと、カソードＣＡと、カソードセパレーター２７と、アノードセパレーター２６と、絶縁体２８と、面シール材４０と、を備える。そして、水素ポンプユニット１０において、電解質膜２１、アノード触媒層２４、カソード触媒層２３、アノード給電体２５、カソード給電体２２、アノードセパレーター２６およびカソードセパレーター２７が積層されている。
【００５０】
アノードＡＮは、電解質膜２１の一方の主面上に設けられている。アノードＡＮは、アノード触媒層２４と、アノード給電体２５とを含む電極である。なお、平面視において、アノードＡＮの周囲を囲むように環状の面シール材４０が設けられている。これにより、アノードＡＮが、面シール材４０で適切にシールされているが、面シール材４０の詳細な構成は後で説明する。
【００５１】
カソードＣＡは、電解質膜２１の他方の主面上に設けられている。カソードＣＡは、カソード触媒層２３と、カソード給電体２２とを含む電極である。なお、カソードセパレーター２７のカソードＣＡ側の主面に設けられた凹部内には、平面視において、カソードＣＡの周囲を囲むようにＯリング４５が設けられている。これにより、カソードＣＡが、Ｏリング４５で適切にシールされている。
【００５２】
以上により、電解質膜２１は、アノード触媒層２４およびカソード触媒層２３のそれぞれと接触するようにして、アノードＡＮとカソードＣＡとによって挟持されている。
【００５３】
電解質膜２１は、プロトン伝導性を備える高分子膜である。電解質膜２１は、プロトン伝導性を備えていれば、どのような構成であってもよい。例えば、電解質膜２１として、フッ素系高分子電解質膜、炭化水素系高分子電解質膜を挙げることができるが、これらに限定されない。具体的には、例えば、電解質膜２１として、Ｎａｆｉｏｎ（登録商標、デュポン社製）、Ａｃｉｐｌｅｘ（登録商標、旭化成株式会社製）などを用いることができる。
【００５４】
アノード触媒層２４は、電解質膜２１の一方の主面に接するように設けられている。アノード触媒層２４は、触媒金属として、例えば、白金を含むが、これに限定されない。
【００５５】
カソード触媒層２３は、電解質膜２１の他方の主面に接するように設けられている。カソード触媒層２３は、触媒金属として、例えば、白金を含むが、これに限定されない。
【００５６】
カソード触媒層２３およびアノード触媒層２４の触媒担体としては、例えば、カーボンブラック、黒鉛などのカーボン粒子、導電性の酸化物粒子などが挙げられるが、これらに限定されない。
【００５７】
なお、カソード触媒層２３およびアノード触媒層２４では、触媒金属の微粒子が、触媒担体に高分散に担持されている。また、これらのカソード触媒層２３およびアノード触媒層２４中には、電極反応場を大きくするために、プロトン伝導性のイオノマー成分を加えることが一般的である。
【００５８】
カソード給電体２２は、カソード触媒層２３上に設けられている。また、カソード給電体２２は、多孔性材料で構成され、導電性およびガス拡散性を備える。さらに、カソード給電体２２は、電気化学式水素ポンプ１００の動作時にカソードＣＡおよびアノードＡＮ間の差圧で発生する構成部材の変位、変形に適切に追従するような弾性を備える方が望ましい。なお、本実施形態の電気化学式水素ポンプ１００では、カソード給電体２２として、カーボン繊維で構成した部材が用いられている。例えば、カーボンペーパー、カーボンクロス、カーボンフェルトなどの多孔性のカーボン繊維シートでもよい。なお、カソード給電体２２の基材として、カーボン繊維シートを用いなくもよい。例えば、カソード給電体２２の基材として、チタン、チタン合金、ステンレススチールなどを素材とする金属繊維の焼結体、これらを素材とする金属粒子の焼結体などを用いてもよい。
【００５９】
アノード給電体２５は、アノード触媒層２４上に設けられている。また、アノード給電体２５は、多孔性材料で構成され、導電性およびガス拡散性を備える。さらに、アノード給電体２５は、電気化学式水素ポンプ１００の動作時にカソードＣＡおよびアノードＡＮ間の差圧で発生する構成部材の変位、変形を抑制可能な高剛性であることが望ましい。
【００６０】
具体的には、アノード給電体２５の基材として、例えば、チタン、チタン合金、ステンレススチール、カーボンなどを素材とした繊維焼結体、粉体焼結体、エキスパンドメタル、金属メッシュ、パンチングメタルなどを用いてもよい。
【００６１】
アノードセパレーター２６は、アノードＡＮ上に設けられた部材である。カソードセパレーター２７は、カソードＣＡ上に設けられた部材である。具体的には、アノードセパレーター２６のアノードＡＮ側のアノードＡＮに対向する領域（中央部）には、アノード給電体２５が接触している。また、カソードセパレーター２７の中央部には凹部が設けられ、この凹部内に、カソード給電体２２が収容されている。
【００６２】
以上のアノードセパレーター２６およびカソードセパレーター２７は、例えば、チタン、ステンレスなどの金属シートで構成されていてもよい。この金属シートをステンレスで構成する場合、ＳＵＳ３１６またはＳＵＳ３１６Ｌは、様々な種類のステンレスの中で、耐酸性および耐水素脆性などの特性に優れている。
【００６３】
このようにして、カソードセパレーター２７およびアノードセパレーター２６で上記のＭＥＡを挟むことにより、水素ポンプユニット１０が形成されている。
【００６４】
なお、カソードセパレーター２７および面シール材４０の間には、電解質膜２１の周囲を囲むように設けられた環状かつ平板状の絶縁体２８が挟み込まれていてもよい。絶縁体２８の基材として、例えば、フッ素ゴムなどを挙げることができるが、これに限定されない。これにより、水素ポンプユニット１０内におけるカソードセパレーター２７およびアノードセパレーター２６間の短絡を適切に防止することができる。
【００６５】
図１に示すように、電気化学式水素ポンプ１００は、水素ポンプユニット１０における、積層方向の両端上に設けられた一対の端板１５、１６と、一対の端板１５、１６を積層方向に締結する締結器１７と、を備える。
【００６６】
締結器１７は、複数段の水素ポンプユニット１０および一対の端板１５、１６を積層方向に締結することができれば、どのような構成であってもよい。
【００６７】
例えば、締結器１７として、ボルトおよび皿ばね付きナットなどを挙げることができる。
【００６８】
これにより、本実施形態の電気化学式水素ポンプ１００では、複数段の水素ポンプユニット１０が、上記の積層方向において、締結器１７の締結圧により積層状態で適切に保持される。すると、水素ポンプユニット１０の各部材間でシール部材（Ｏリング、面シール材４０）のシール性が適切に発揮されるとともに、各部材間の接触抵抗が低減する。
【００６９】
ここで、図１の端板１５の適所には、アノードガス導入経路（図示せず）が設けられている。アノードガス導入経路は、例えば、アノードＡＮに供給される水素含有ガスが流通する配管で構成されていてもよい。
【００７０】
そして、アノードガス導入経路は、筒状のアノードガス導入マニホールド３０（図２）に連通している。なお、アノードガス導入マニホールド３０は、水素ポンプユニット１０の各部材に設けられた貫通孔の連なりによって構成されている。
【００７１】
本実施形態の電気化学式水素ポンプ１００では、水素ポンプユニット１０のそれぞれにおいて、アノードセパレーター２６のアノードＡＮ側の主面に、アノードＡＮ上を流れる水素含有ガスのアノードガス流路３３と、アノードガス流路３３に水素含有ガスを供給するアノードガス導入マニホールド孔３０Ａと、アノードガス導入マニホールド孔３０Ａとアノードガス流路３３とを連絡する第１連絡路３２Ａが設けられている。
【００７２】
アノードガス導入マニホールド孔３０Ａは、アノードガス導入マニホールド３０の一部を構成する、アノードセパレーター２６のアノードＡＮ側の主面に形成された開口に相当する。
【００７３】
アノードガス流路３３は、平面視において、例えば、複数のＵ字状の折り返す部分と複数の直線部分とを含むサーペンタイン状の流路溝であってもよい。なお、ここでは、アノードガス流路３３の直線部分は、図２の紙面に垂直な方向に延伸している。
【００７４】
ただし、以上のアノードガス流路３３は、例示であって、本例に限定されない。例えば、アノードガス流路は、複数の直線状の流路溝により構成されていてもよい。
【００７５】
第１連絡路３２Ａは、アノードセパレーター２６のアノードＡＮ側の主面に設けられた流路溝である。この流路溝は、アノードガス流路３３の一方の端部とアノードガス導入マニホールド孔３０Ａとの間を延伸している。
【００７６】
このようにして、アノードガス導入マニホールド３０は、水素ポンプユニット１０のそれぞれのアノードガス流路３３の一方の端部と、第１連絡路３２Ａのそれぞれを介して連通している。これにより、アノードガス導入経路からアノードガス導入マニホールド３０に供給された水素含有ガスは、図２の点線で示すように、水素ポンプユニット１０のそれぞれの第１連絡路３２Ａを通じて、水素ポンプユニット１０のそれぞれに分配される。そして、分配された水素含有ガスがアノードガス流路３３を通過する間に、アノード給電体２５からアノード触媒層２４に水素含有ガスが供給される。
【００７７】
また、図１の端板１６の適所には、アノードガス導出経路（図示せず）が設けられている。アノードガス導出経路は、例えば、アノードＡＮから排出される水素含有ガスが流通する配管で構成されていてもよい。
【００７８】
そして、アノードガス導出経路は、筒状のアノードガス導出マニホールド３１（図２）に連通している。なお、アノードガス導出マニホールド３１は、水素ポンプユニット１０の各部材に設けられた貫通孔の連なりによって構成されている。
【００７９】
本実施形態の電気化学式水素ポンプ１００では、水素ポンプユニット１０のそれぞれにおいて、アノードセパレーター２６のアノードＡＮ側の主面に、アノードガス導出マニホールド孔３１Ａと、アノードガス導出マニホールド孔３１Ａとアノードガス流路３３とを連絡する第２連絡路３２Ｂが設けられている。
【００８０】
アノードガス導出マニホールド孔３１Ａは、アノードガス導出マニホールド３１の一部を構成する、アノードセパレーター２６のアノードＡＮ側の主面に設けられた開口に相当する。
【００８１】
第２連絡路３２Ｂは、アノードセパレーター２６のアノードＡＮ側の主面に設けられた流路溝である。この流路溝は、アノードガス流路３３の他方の端部とアノードガス導出マニホールド孔３１Ａとの間を延伸している。
【００８２】
このようにして、アノードガス導出マニホールド３１は、水素ポンプユニット１０のそれぞれのアノードガス流路３３の他方の端部と、第２連絡路３２Ｂのそれぞれを介して連通している。これにより、水素ポンプユニット１０のそれぞれのアノードガス流路３３を通過した水素含有ガスが、図２の点線で示すように、第２連絡路３２Ｂのそれぞれを通じてアノードガス導出マニホールド３１に供給され、ここで合流される。そして、合流された水素含有ガスが、アノードガス導出経路に導かれる。
【００８３】
なお、図示を省略するが、カソードセパレーター２７の適所には、カソードセパレーター２７の凹部内とカソードマニホールド内とを連通する連通経路が設けられている。これにより、電気化学式水素ポンプ１００の動作時に、カソードＣＡの高圧の水素ガスが、図示しない連通経路およびカソードマニホールドを介して電気化学式水素ポンプ１００外に排出される。
【００８４】
また、本実施形態の電気化学式水素ポンプ１００では、カソードセパレーター２７と絶縁体２８とが接触する領域およびカソードセパレーター２７とアノードセパレーター２６とが接触する領域のそれぞれの平面視において、アノードガス導入マニホールド３０を囲むようにＯリング４１およびＯリング４２がそれぞれ設けられている。Ｏリング４１は、カソードセパレーター２７の絶縁体２８側の主面に設けられたＯリング溝内に配置されている。Ｏリング４２は、アノードセパレーター２６のカソードセパレーター２７側の主面に設けられたＯリング溝内に配置されている。
【００８５】
これにより、アノードガス導入マニホールド３０における上記の部材間が、Ｏリング４１およびＯリング４２で適切にシールされている。
【００８６】
また、カソードセパレーター２７と絶縁体２８とが接触する領域およびカソードセパレーター２７とアノードセパレーター２６とが接触する領域のそれぞれの平面視において、アノードガス導出マニホールド３１を囲むようにＯリング４３およびＯリング４４がそれぞれ設けられている。Ｏリング４３は、カソードセパレーター２７の絶縁体２８側の主面に設けられたＯリング溝内に配置されている。Ｏリング４４は、アノードセパレーター２６のカソードセパレーター２７側の主面に設けられたＯリング溝内に配置されている。
【００８７】
これにより、アノードガス導出マニホールド３１における上記の部材間が、Ｏリング４３およびＯリング４４で適切にシールされている。
【００８８】
また、カソードセパレーター２７とアノードセパレーター２６とが接触する領域の平面視において、熱媒体流路６０が設けられている。ここでは、熱媒体流路６０は、カソードセパレーター２７のアノードセパレーター２６側の主面に設けられた流路溝で構成されているが、これに限定されない。熱媒体流路６０は、アノードセパレーター２６の主面に設けられていてもよい。
【００８９】
これにより、電気化学式水素ポンプ１００の動作時において、熱媒体流路６０を流れる熱媒体の温度、流量などを制御することで、水素ポンプユニット１０の温調を適切に行うことができる。なお、熱媒体として、例えば、液体の水、不凍液などを挙げることができるが、これらに限定されない。
【００９０】
ここで、本実施形態の電気化学式水素ポンプ１００では、図２に示す如く、面シール材４０が、アノードセパレーター２６のアノードＡＮ側の主面のアノードＡＮに対向する領域の外周上に、第１連絡路３２Ａおよび第２連絡路３２Ｂを覆うように設けられている。なお、面シール材４０の適所に、複数の貫通孔が設けられている。そして、これらの貫通孔は、上記のアノードガス導入マニホールド３０およびアノードガス導出マニホールド３１の一部を構成している。
【００９１】
面シール材４０は、金属シート４０Ａの両方の主面のそれぞれに、弾性シート４０Ｂが設けられた３層構造である。これにより、面シール材４０は剛性およびシール性を備える。
【００９２】
つまり、面シール材４０の金属シート４０Ａによって、面シール材４０に剛性を適切に付与することができる。なお、金属シート４０Ａの材料として、例えば、ステンレス、チタン、チタン合金、アルミ合金、マグネシウム合金などを挙げることができるが、これらに限定されない。
【００９３】
また、面シール材４０の弾性シート４０Ｂによって、面シール材４０に水素含有ガスに対するシール性を適切に付与することができる。さらに、弾性シート４０Ｂを絶縁材料で構成することによって、水素ポンプユニット１０内におけるカソードセパレーター２７およびアノードセパレーター２６間の絶縁性を向上させることができる。なお、弾性シート４０Ｂの材料として、例えば、フッ素ゴム、シリコンゴム、エチレン・プロピレンゴム、ブタジエンゴムなどのゴムを挙げることができるが、これらに限定されない。
【００９４】
図１に示すように、電気化学式水素ポンプ１００は、電圧印加器５０を備える。
【００９５】
電圧印加器５０は、アノードＡＮとカソードＣＡとの間に電圧を印加する装置である。具体的には、電圧印加器５０の高電位が、アノードＡＮに印加され、電圧印加器５０の低電位が、カソードＣＡに印加されている。電圧印加器５０は、アノードＡＮおよびカソードＣＡ間に電圧を印加できれば、どのような構成であってもよい。例えば、電圧印加器５０は、アノードＡＮおよびカソードＣＡ間に印加する電圧を調整する装置であってもよい。このとき、電圧印加器５０は、バッテリ、太陽電池、燃料電池などの直流電源と接続されているときは、ＤＣ／ＤＣコンバータを備え、商用電源などの交流電源と接続されているときは、ＡＣ／ＤＣコンバータを備える。
【００９６】
また、電圧印加器５０は、例えば、水素ポンプユニット１０に供給する電力が所定の設定値となるように、アノードＡＮおよびカソードＣＡ間に印加される電圧、アノードＡＮおよびカソードＣＡ間に流れる電流が調整される電力型電源であってもよい。
【００９７】
なお、図１に示す例では、電圧印加器５０の低電位側の端子が、給電板１１に接続され、電圧印加器５０の高電位側の端子が、給電板１２に接続されている。給電板１１は、上記の積層方向において一方の端に位置するカソードセパレーター２７と電気的に接触しており、給電板１２は、上記の積層方向において他方の端に位置するアノードセパレーター２６と電気的に接触している。
【００９８】
このようにして、電気化学式水素ポンプ１００は、電圧印加器５０が上記の電圧を印加することで、アノードＡＮに供給された水素含有ガスから取り出されたプロトンを、電解質膜２１を介してカソードＣＡに移動させ、圧縮された水素を生成する。
【００９９】
図示を省略するが、上記の電気化学式水素ポンプ１００を備える水素供給システムを構築することもできる。この場合、水素供給システムの水素供給動作において必要となる機器は適宜、設けられる。
【０１００】
例えば、水素供給システムには、アノードＡＮから排出される高加湿状態の水素含有ガスと、外部の水素供給源から供給される低加湿状態の水素含有ガスとが混合された混合ガスの露点を調整する露点調整器（例えば、加湿器）が設けられていてもよい。このとき、外部の水素供給源の水素含有ガスは、例えば、水電解装置で生成されてもよい。
【０１０１】
また、水素供給システムには、例えば、電気化学式水素ポンプ１００の温度を検出する温度検出器、電気化学式水素ポンプ１００のカソードＣＡから排出された水素を一時的に貯蔵する水素貯蔵器、水素貯蔵器内の水素ガス圧を検出する圧力検出器などが設けられていてもよい。
【０１０２】
なお、上記の電気化学式水素ポンプ１００の構成、および、水素供給システムにおける図示しない様々な機器は例示であって、本例に限定されない。
【０１０３】
例えば、アノードガス導出マニホールド３１を設けずに、アノードガス導入マニホールド３０を通してアノードＡＮに供給する水素含有ガス中の水素を全てカソードＣＡで圧縮するデッドエンド構造が採用されてもよい。
【０１０４】
[動作]
以下、電気化学式水素ポンプ１００の水素圧縮動作の一例について、図面を参照しながら説明する。
【０１０５】
以下の動作は、例えば、図示しない制御器の演算回路が、制御器の記憶回路から制御プログラムを読み出すことにより行われてもよい。ただし、以下の動作を制御器で行うことは、必ずしも必須ではない。操作者が、その一部の動作を行ってもよい。
【０１０６】
まず、電気化学式水素ポンプ１００のアノードＡＮに低圧の水素含有ガスが供給されるとともに、電圧印加器５０の電圧が電気化学式水素ポンプ１００に給電される。
【０１０７】
すると、アノードＡＮのアノード触媒層２４において、酸化反応で水素分子がプロトンと電子とに分離する（式（１））。プロトンは電解質膜２１内を伝導してカソード触媒層２３に移動する。電子は電圧印加器５０を通じてカソード触媒層２３に移動する。
【０１０８】
そして、カソード触媒層２３において、還元反応で水素分子が再び生成される（式（２））。なお、プロトンが電解質膜２１中を伝導する際に、所定水量の水が、電気浸透水としてアノードＡＮからカソードＣＡにプロトンと同伴して移動することが知られている。
【０１０９】
このとき、図示しない流量調整器を用いて、水素導出経路の圧損を増加させることにより、カソードＣＡで生成された水素（Ｈ２）を圧縮することができる。なお、流量調整器として、例えば、水素導出経路に設けられた背圧弁、調整弁などを挙げることができる。
【０１１０】
アノード：Ｈ２（低圧）→２Ｈ＋＋２ｅ−      ・・・（１）
カソード：２Ｈ＋＋２ｅ−→Ｈ２（高圧）      ・・・（２）
このようにして、電気化学式水素ポンプ１００では、電圧印加器５０で電圧を印加することで、アノードＡＮに供給される水素含有ガス中の水素がカソードＣＡにおいて圧縮される。これにより、電気化学式水素ポンプ１００の水素圧縮動作が行われ、カソードＣＡで圧縮された水素は、例えば、図示しない水素貯蔵器に一時的に貯蔵される。また、水素貯蔵器で貯蔵された水素は、適時に、水素需要体に供給される。なお、水素需要体として、例えば、水素を用いて発電する燃料電池などを挙げることができる。
【０１１１】
以上のとおり、本実施形態の電気化学式水素ポンプ１００は、従来に比べて、水素含有ガスに対する面シール材４０のシール性を改善するとともに装置のコストを低減し得る。
【０１１２】
具体的には、本実施形態の電気化学式水素ポンプ１００は、低圧の水素含有ガスが存在する領域の部材間は、Ｏリングを設けずに面シール材４０を挟むことで、このような部材間にＯリングを設ける場合に比べて、組立および加工のコストダウンを図ることができる。
【０１１３】
また、本実施形態の電気化学式水素ポンプ１００は、面シール材４０を、金属シート４０Ａおよび一対の弾性シート４０Ｂの３層構造とすることで、例えば、面シール材４０を単一の弾性シート（例えば、ゴムシート）で構成する場合に比べて剛性を向上することができる、これにより、本実施形態の電気化学式水素ポンプ１００は、電気化学式水素ポンプ１００の動作時に発生するカソードＣＡおよびアノードＡＮ間の差圧（高圧）によって、面シール材４０が第１連絡路３２Ａおよび第２連絡路３２Ｂ内に落ち込むことを抑制することができ、その結果、水素含有ガスが外部に漏れにくくなる。
【０１１４】
（実施例）
本実施例の電気化学式水素ポンプ１００は、以下に説明する面シール材４０の構成以外、第１実施形態の電気化学式水素ポンプ１００と同様である。
【０１１５】
面シール材４０の金属シート４０Ａは、ステンレス鋼であることが望ましい。これにより、本実施例の電気化学式水素ポンプ１００は、剛性とコスト性の両立を図りやすくなる。
【０１１６】
また、上記のステンレス鋼は、ＳＵＳ３１６またはＳＵＳ３１６Ｌであることが望ましい。ＳＵＳ３１６またはＳＵＳ３１６Ｌが、様々な種類のステンレスの中で耐酸性および耐水素脆性などの視点で高い特性を備えるので、本実施例の電気化学式水素ポンプ１００は、金属シート４０Ａの基材としてＳＵＳ３１６またはＳＵＳ３１６Ｌを選択すると都合がよい。
【０１１７】
また、面シール材４０の金属シート４０Ａは、厚みが、０．３ｍｍ以上であることが望ましい。これにより、本実施例の電気化学式水素ポンプ１００は、金属シート４０Ａの厚みが０．３ｍｍ未満である場合に比べて、面シール材４０の剛性を改善することができる。
【０１１８】
また、面シール材４０の弾性シート４０Ｂは、フッ素ゴムであることが望ましい。フッ素ゴムが、様々な種類のゴムの中で耐酸性などの化学的安定性の視点で高い特性を備えるので、本実施例の電気化学式水素ポンプ１００は、弾性シート４０Ｂの基材としてフッ素ゴムを選択すると都合がよい。
【０１１９】
本実施例の電気化学式水素ポンプ１００は、上記特徴以外は、第１実施形態の電気化学式水素ポンプ１００と同様であってもよい。
【０１２０】
（第２実施形態）
図３は、第２実施形態の電気化学式水素ポンプの水素ポンプユニットの一例を示す図である。
【０１２１】
図３に示すように、本実施形態の電気化学式水素ポンプ１００の水素ポンプユニット１０のそれぞれにおいて、アノードセパレーター２６およびカソードセパレーター２７は一体化されている。これにより、電気化学式水素ポンプ１００の部品点数を削減することができる。例えば、セパレーターの個数を削減できるとともに、セパレーター間に設けられたシール部材（例えば、図２のＯリング４２およびＯリング４４）を無くすことができる。
【０１２２】
具体的には、バイポーラプレート（双極板）２９が、水素ポンプユニット１０Ａのアノードセパレーター２６として機能するとともに、水素ポンプユニット１０Ｂのカソードセパレーター２７として機能する。
【０１２３】
アノードセパレーター２６およびカソードセパレーター２７の接合は、どのような構成であってもよい。例えば、アノードセパレーター２６およびカソードセパレーター２７は、拡散接合、ボルト締結などの機械的な接合、接着、溶接などの様々な手法で接合することができる。また、バイポーラプレート２９は、例えば、３Ｄプリンタ工法などによって製作してもよい。
【０１２４】
ただし、アノードセパレーター２６およびカソードセパレーター２７を接合する前には、カソードセパレーター２７の主面に熱媒体流路６０を構成する流路溝が設けられている。なお、図示を省略するが、アノードセパレーター２６の主面に、かかる流路溝を設けてもよい。
【０１２５】
以上により、本実施形態の電気化学式水素ポンプ１００は、部品点数を削減することで、組立作業の効率化を図ることができる。また、本実施形態の電気化学式水素ポンプ１００は、例えば、アノードセパレーター２６とカソードセパレーター２７とが拡散接合で一体化されることで、互いの接合部の空隙が消失するので、両者間の接触抵抗を低減することができる。
【０１２６】
本実施形態の電気化学式水素ポンプ１００は、上記特徴以外は、第１実施形態または第１実施形態の実施例の電気化学式水素ポンプ１００と同様であってもよい。
【０１２７】
なお、第１実施形態、第１実施形態の実施例および第２実施形態は、互いに相手を排除しない限り、互いに組み合わせても構わない。
【０１２８】
また、上記説明から、当業者にとっては、本開示の多くの改良および他の実施形態が明らかである。従って、上記説明は、例示としてのみ解釈されるべきであり、本開示を実行する最良の態様を当業者に教示する目的で提供されたものである。本開示の精神を逸脱することなく、その構造および／または機能の詳細を実質的に変更することができる。
【０１２９】
例えば、電気化学式水素ポンプ１００の面シール材４０は、水電解装置などの他の圧縮装置にも適用することができる。
【産業上の利用可能性】
【０１３０】
本開示の一態様は、従来に比べて、アノード流体に対する面シール材のシール性を改善するとともに装置のコストを低減し得る圧縮装置に利用することができる。
【符号の説明】
【０１３１】
１０      ：水素ポンプユニット
１０Ａ    ：水素ポンプユニット
１０Ｂ    ：水素ポンプユニット
１１      ：給電板
１２      ：給電板
１３      ：絶縁板
１４      ：絶縁板
１５      ：端板
１６      ：端板
１７      ：締結器
２１      ：電解質膜
２２      ：カソード給電体
２３      ：カソード触媒層
２４      ：アノード触媒層
２５      ：アノード給電体
２６      ：アノードセパレーター
２７      ：カソードセパレーター
２８      ：絶縁体
２９      ：バイポーラプレート
３０      ：アノードガス導入マニホールド
３０Ａ    ：アノードガス導入マニホールド孔
３１      ：アノードガス導出マニホールド
３１Ａ    ：アノードガス導出マニホールド孔
３２Ａ    ：第１連絡路
３２Ｂ    ：第２連絡路
３３      ：アノードガス流路
４０      ：面シール材
４０Ａ    ：金属シート
４０Ｂ    ：弾性シート
４１      ：Ｏリング
４２      ：Ｏリング
４３      ：Ｏリング
４４      ：Ｏリング
４５      ：Ｏリング
５０      ：電圧印加器
６０      ：熱媒体流路
１００    ：電気化学式水素ポンプ
１００Ａ  ：積層体
ＡＮ      ：アノード
ＣＡ      ：カソード
【要約】
本開示の圧縮装置は、電解質膜と、前記電解質膜の一方の主面に設けられたアノードと、前記電解質膜の他方の主面に設けられたカソードと、前記アノード上に設けられたアノードセパレーターと、前記カソード上に設けられたカソードセパレーターと、前記アノードと前記カソードとの間に電圧を印加する電圧印加器とを備え、前記電圧印加器が前記電圧を印加することで、前記アノードに供給されたアノード流体から取り出されたプロトンを、前記電解質膜を介して前記カソードに移動させ、圧縮された水素を生成する圧縮装置であって、前記アノードセパレーターの前記アノード側の主面に、前記アノード上を流れる前記アノード流体の流体流路と、前記流体流路に前記アノード流体を供給するマニホールド孔と、前記マニホールド孔と前記流体流路とを連絡する連絡路が設けられ、前記アノードセパレーターのアノード側の主面の前記アノードに対向する領域の外周上に設けられ、かつ前記連絡路を覆う面シール材を備え、前記面シール材は金属シートの両方の主面のそれぞれに、弾性シートが設けられた３層構造である。【図１】
0006979634.tif 000002
【図２】
0006979634.tif 000003
【図３】
0006979634.tif 000004